(57)【要約】      （修正有）【課題】山形の粘着シートで確実にねずみを捕獲できるねずみ捕り器を提供する。【解決手段】ねずみが粘着シートの内部に侵入して餌取付片３７の餌を取るとき、作動バー３３が回転して、両フック３６ａが作動プレート２９、３０から外れるので、作動プレート２９、３０はコイルスプリング３１、３２の付勢力で互いに接近する方向へ瞬時に移動し、山形の粘着シートの両面が閉じてねずみが粘着シートで挟持され、捕獲される。【選択図】図２
0003224692.tif 000002
【実用新案登録請求の範囲】
【請求項１】
左右一対のサイドバーの間に架け渡して端部をサイドバーに固着した前後２本のガイドバーと、各ガイドバーに左右方向へ移動可能に組み付けられ、互いに対向する２枚の作動プレートと、各ガイドバーに組み付けられ、両作動プレートが接近する方向に各作動プレートを付勢するコイルスプリングと、左右一対のサイドバーの間に架け渡して端部をサイドバーに回転可能に組み付けた作動バーと、作動バーの両端部に固着され、作動バーの回転に伴い各作動プレートを掛止し、または各作動プレートから外れる左右一対のフックと、作動バーに固着した餌取付片とを設けた本体と、山形の粘着シートを備え、
各フックに作動プレートを掛止することにより、コイルスプリングの付勢力に抗して各作動プレートをサイドバーに近接する位置に保持し、
粘着シートを左右の下端部がそれぞれ各作動プレートの内面に当接または近接するように配置し、
ねずみが粘着シートの内部に侵入して餌取付片の餌を取るとき作動バーが回転して両フックが作動プレートから外れるようにしたことを特徴とする。作動プレートがコイルスプリングの付勢力で互いに接近する方向へ急速に移動し、山形の粘着シートの両面が閉じてねずみが粘着シートで挟持されるようにしたことを特徴とするねずみ捕り器
【請求項２】
山形の粘着シートの各面に前後方向に延びる中折れ線を各面の中間部に形成したことを特徴とする請求項１に記載のねずみ捕り器。
【考案の詳細な説明】
【技術分野】
【０００１】
本考案は、ねずみ捕り器に関するものである。
【背景技術】
【０００２】
ねずみ捕り器の一形式として、特開２００９−１８９２４５号公報には開閉可能な山形の粘着シートと、粘着シートの頂部に取り付けられ、粘着シートの両面が閉じる方向に付勢するクリップと、クリップの付勢力に抗して粘着シートの両面を開いた状態に保持する衝立板を備えたねずみ捕り器が開示されている。
【０００３】
ねずみは進行方向にある障害物の高さが、ねずみの目線と同程度の高さの場合、若しくはそれ以下の高さである場合、障害物を飛び越えて行くという習性がある。
このねずみ捕り器はかかるねずみの習性を利用したものであり、ねずみが進行方向にある障害物として衝立板を飛び越えると、粘着シートの両面のいずれか一方に接触して捕獲される。粘着シートに捕獲されたねずみが逃れようとして暴れると、衝立板が倒れるので、クリップで付勢された粘着シートの両面でねずみが強く挟持される。
【先行技術文献】
【特許文献】
【０００４】
【特許文献１】特開２００９−１８９２４５号公報
【考案の概要】
【考案が解決しようとする課題】
【０００５】
上記した従来のねずみ捕り器では、ねずみが衝立板を飛び越えるとき、かならずしも粘着シートに接触して捕獲されるとは限らず、粘着シートに接触しても衝立板を倒すことなく通過してしまうおそれがあり、ねずみ捕獲の確実性が低い。
本考案はかかる点に鑑み、山形の粘着シートで確実にねずみを捕獲できるねずみ捕り器を提供することを目的とする。
【課題を解決するための手段】
【０００６】
本考案に係るねずみ捕り器は、
左右一対のサイドバーの間に架け渡して端部をサイドバーに固着した前後２本のガイドバーと、各ガイドバーに左右方向へ移動可能に組み付けられ、互いに対向する２枚の作動プレートと、各ガイドバーに組み付けられ、両作動プレートが接近する方向に各作動プレートを付勢するコイルスプリングと、左右一対のサイドバーの間に架け渡して端部をサイドバーに回転可能に組み付けた作動バーと、作動バーの両端部に固着され、作動バーの回転に伴い各作動プレートを掛止し、または各作動プレートから外れる左右一対のフックと、作動バーに固着した餌取付片とを設けた本体と、山形の粘着シートを備え、
各フックに作動プレートを掛止することにより、コイルスプリングの付勢力に抗して各作動プレートをサイドバーに近接する位置に保持し、
粘着シートを左右の下端部がそれぞれ各作動プレートの内面に当接または近接するように配置し、
ねずみが粘着シートの内部に侵入して餌取付片の餌を取るとき作動バーが回転して両フックが作動プレートから外れるようにしたことを特徴とする。作動プレートがコイルスプリングの付勢力で互いに接近する方向へ急速に移動し、山形の粘着シートの両面が閉じてねずみが粘着シートで挟持されるようにしたことを特徴とする
【０００７】
そして、好ましくは、山形の粘着シートの各面に前後方向に延びる中折れ線を各面の中間部に形成する。
【考案の効果】
【０００８】
本考案によれば、ねずみが粘着シートの内部に侵入して餌取付片の餌を取るとき作動バーが回転して両フックが作動プレートから外れ、作動プレートがコイルスプリングの付勢力で互いに接近する方向へ瞬時に移動するので、山形の粘着シートの両面が閉じてねずみを粘着シートで確実に挟持できる。
【０００９】
また、山形の粘着シートの両面に中折れ線を形成することにより、作動プレートがコイルスプリングの付勢力で互いに接近する方向へ移動するとき、両面の下半分が直立するので、ねずみと各面との接触面積が広くなり、ねずみ捕獲の確実性が向上する。
【図面の簡単な説明】
【００１０】
【図１】本考案の実施例に係るねずみ捕り器を示す斜視図である。
【図２】同ねずみ捕り器の本体を示す斜視図である。
【図３】同ねずみ捕り器の作動状態を示す斜視図である。
【図４】同ねずみ捕り器の本体の作動状態を示す斜視図である。
【実施例】
【００１１】
以下に本考案を図面に基づき説明する。図１及び図２には本考案の実施例に係るねずみ捕り器１０の本体２０が示されている。また、図３及び図４には本考案の実施例に係るねずみ捕り器１０が示されている。
【００１２】
ねずみ捕り器１０は本体２０と粘着シート４０で構成されている。本体２０は左右一対のサイドバー２１，２２と、フロントバー２３、リヤバー２４、左右一対の把手バー２５，２６を備えている。一対のサイドバー２１，２２とフロントバー２３及びリヤバー２４は全体として矩形に組み付けられている。サイトバー２１，２２はそれぞれ両端部がフロントバー２３とリヤバー２４に溶接して固着されている。一方の把手バー２５とフロントバー２３及びリヤバー２４は一本の棒材を屈曲して形成され、フロントバー２３とリヤバー２４の左端部が把手バー２５で連結されている。把手バー２５はサイドバー２１の上でサイドバー２１と平行に延びている。他方の把手バー２６はフロントバー２３とリヤバーの右端部に溶接して固着されている。把手バー２６はサイドバー２２の上でサイドバー２２と平行に延びている。
【００１３】
両サイドバー２１，２２の中間部の間に前後２本のガイドバー２７，２８が架け渡されている。２本のガイドバー２７，２８は一本の棒材を屈曲して形成され、左右両端部がそれぞれサイドバー２１，２２に溶接して固着されている。ガイドバー２７，２８にはそれぞれ作動プレート２９，３０が互いに対向するように組み付けられている。各作動プレートに２９，３０は筒部２９ａ，３０ａが一体に設けられ、筒部２９ａ，３０ａにガイドバー２７，２８を挿通することによりガイドバー２７，２８に左右方向へ移動可能に組み付けられている。
【００１４】
各ガイドバー２７，２８にはコイルスプリング３１，３２が装着されている。コイルスプリング３１の一端はサイドバー２１に連結され、他端が作動プレート２９に連結されている。コイルスプリング３２の一端はサイドバー２２に連結され、他端が作動プレート３０に連結されている。両作動プレート２９，３０はコイルスプリング３１，３２によって互いに接近する方向に付勢される。
【００１５】
両サイドバー２１，２２の間に作動バー３３が架け渡されている。作動バー３３は両ガイドバー２７，２８の間に配置され、その端部がサイドバー２１，２２に固着された軸受３４，３５により支持され、サイドバー２１，２２に回転可能に組み付けられている。
【００１６】
作動バー３３にはフックバー３６が溶接して固定されている。このフックバー３６は両端部にフック３６ａが設けられている。各フック３６ａは作動バー３３が回転すると各作動プレート２９，３０を掛止し、または各作動プレート２９，３０から外れる。また、作動バー３３には針金製の餌取付片３７が固着されている。
【００１７】
粘着シート４０は山形に形成され、内面に粘着層が形成されている。山形の各面４０ａには前後方向に延びる中折れ線４０ｂが形成されている。
【００１８】
本実施例に係るねずみ捕り器の構造は以上の通りであって、以下にその使用方法を説明する。
把手バー２５，２６を掴んでねずみの通り道に本体２０を置き、図２に示すように、各フック３６ａに作動プレート２９，３０を掛止することにより、コイルスプリング３１，３２の付勢力に抗して各作動プレート２９，３０をサイドバー２１，２２に近接する位置に保持する。餌取付片３７に餌５０を取付ける。図１に示すように、粘着シート４０を本体２０に被せ、左右の下端部がそれぞれ各作動プレート２９，３０の内面に当接または近接するように配置する。
【００１９】
ねずみが粘着シート４０の内部に侵入して餌取付片３７の餌を取るとき、図４に示すように、作動バー３３が回転して、両フック３６ａが作動プレート２９，３０から外れるので、作動プレート２９，３０はコイルスプリング３１，３２の付勢力で互いに接近する方向へ瞬時に移動し、山形の粘着シート４０の両面４０ａが閉じてねずみが粘着シート４０で挟持され、捕獲される。
【００２０】
本実施例に係るねずみ捕り器１０によれば、ねずみが粘着シート４０の内部に侵入して餌取付片３７の餌を取ると、作動バー３３が回転し、それに伴い、作動プレート２９，３０がコイルスプリング３１，３２の付勢力で瞬時に移動して、山形の粘着シート４０の両面４０ａでねずみを確実に挟持できる。
【００２１】
また、山形の粘着シート４０の両面４０ａに中折れ線４０ｂを形成することにより、作動プレート２９，３０がコイルスプリング３１，３２の付勢力で互いに接近する方向へ移動するとき、両面４０ａの下半分が直立するので、ねずみと各面４０ａとの接触面積が広くなり、ねずみ捕獲の確実性が向上する。
【符号の説明】
【００２２】
１０…ねずみ捕り器
２０…本体
２１，２２…サイドバー
２３…フロントバー
２４…リヤバー
２５，２６…把手バー
２７，２８…ガイドバー
２９，３０…作動プレート
３１，３２…コイルスプリング
３３…作動バー
３４，３５…軸受
３６…フックバー
３６ａ…フック
３７…餌取付片
４０…粘着シート
４０ａ…粘着シートの両面
４０ｂ…中折れ線
【図１】
0003224692.tif 000003
【図２】
0003224692.tif 000004
【図３】
0003224692.tif 000005
【図４】
0003224692.tif 000006
【手続補正書】
【提出日】令和1年11月8日(2019.11.8)
【手続補正１】
【補正対象書類名】明細書
【補正対象項目名】０００６
【補正方法】変更
【補正の内容】
【０００６】
本考案に係るねずみ捕り器は、
左右一対のサイドバーの間に架け渡して端部をサイドバーに固着した前後２本のガイドバーと、各ガイドバーに左右方向へ移動可能に組み付けられ、互いに対向する２枚の作動プレートと、各ガイドバーに組み付けられ、両作動プレートが接近する方向に各作動プレートを付勢するコイルスプリングと、左右一対のサイドバーの間に架け渡して端部をサイドバーに回転可能に組み付けた作動バーと、作動バーの両端部に固着され、作動バーの回転に伴い各作動プレートを掛止し、または各作動プレートから外れる左右一対のフックと、作動バーに固着した餌取付片とを設けた本体と、山形の粘着シートを備え、
各フックに作動プレートを掛止することにより、コイルスプリングの付勢力に抗して各作動プレートをサイドバーに近接する位置に保持し、
粘着シートを左右の下端部がそれぞれ各作動プレートの内面に当接または近接するように配置し、
ねずみが粘着シートの内部に侵入して餌取付片の餌を取るとき作動バーが回転して両フックが作動プレートから外れるとともに、作動プレートがコイルスプリングの付勢力で互いに接近する方向へ急速に移動し、山形の粘着シートの両面が閉じてねずみが粘着シートで挟持されるようにしたことを特徴とする。
【手続補正２】
【補正対象書類名】実用新案登録請求の範囲
【補正対象項目名】請求項１
【補正方法】変更
【補正の内容】
【請求項１】
左右一対のサイドバーの間に架け渡して端部をサイドバーに固着した前後２本のガイドバーと、各ガイドバーに左右方向へ移動可能に組み付けられ、互いに対向する２枚の作動プレートと、各ガイドバーに組み付けられ、両作動プレートが接近する方向に各作動プレートを付勢するコイルスプリングと、左右一対のサイドバーの間に架け渡して端部をサイドバーに回転可能に組み付けた作動バーと、作動バーの両端部に固着され、作動バーの回転に伴い各作動プレートを掛止し、または各作動プレートから外れる左右一対のフックと、作動バーに固着した餌取付片とを設けた本体と、山形の粘着シートを備え、
各フックに作動プレートを掛止することにより、コイルスプリングの付勢力に抗して各作動プレートをサイドバーに近接する位置に保持し、
粘着シートを左右の下端部がそれぞれ各作動プレートの内面に当接または近接するように配置し、
ねずみが粘着シートの内部に侵入して餌取付片の餌を取るとき作動バーが回転して両フックが作動プレートから外れるとともに、作動プレートがコイルスプリングの付勢力で互いに接近する方向へ急速に移動し、山形の粘着シートの両面が閉じてねずみが粘着シートで挟持されるようにしたことを特徴とするねずみ捕り器。